(57)【要約】【課題】光源ユニットにおいて、組み立てやすい構造で配線用の開口の隙間を塞ぐ。【解決手段】光源ユニットにおいて、フレームの一方の片面には、発光部が取り付けられている。フレームには、フレームの一方の片面から他方の片面まで貫通する挿通開口１２３が開けられている。挿通開口１２３には、発光部に電気接続された電線１４１が挿通されている。そして、挿通開口１２３の電線１４１の挿通箇所を除く開口領域が、フレームに取り付けられた端板１３０によって塞がれている。【選択図】図５
2017134944.tif 000002
【特許請求の範囲】
【請求項１】
照明器具に取り付けて使用される光源ユニットにおいて、
光を照射する発光部と、
前記発光部に電気接続された電線と、
前記発光部が一方の片面に取り付けられるとともに、前記一方の片面から他方の片面まで貫通し前記電線が挿通される挿通開口が開けられたフレームと
を備え、
前記挿通開口の前記電線の挿通箇所を除く開口領域が、前記フレームに取り付けられた板状の部材によって塞がれている光源ユニット。
【請求項２】
前記発光部は、前記板状の部材として、発光素子が実装された基板を有する請求項１に記載の光源ユニット。
【請求項３】
前記板状の部材として、前記フレームに取り付けられた端板をさらに備える請求項１に記載の光源ユニット。
【請求項４】
前記電線が前記板状の部材によって前記挿通開口の端縁に押し付けられている請求項１から３のいずれか１項に記載の光源ユニット。
【請求項５】
前記挿通開口は、前記電線の径方向に沿って前記電線をスライドさせるためのスライド部と、前記スライド部と前記挿通開口の端縁との間に介在する介在部とからなり、
前記電線が前記介在部に挿通されている状態で前記スライド部が前記板状の部材によって塞がれている請求項１から４のいずれか１項に記載の光源ユニット。
【請求項６】
前記挿通開口は、前記電線の径方向に沿って前記電線をスライドさせるためのスライド部と、前記スライド部と前記挿通開口の端縁との間に介在する介在部と、前記スライド部の前記介在部とは反対側につながり、前記電線を挿入するための挿入部とからなり、
前記電線が前記介在部に挿通されている状態で前記スライド部と前記挿入部とが前記板状の部材によって塞がれている請求項１から４のいずれか１項に記載の光源ユニット。
【請求項７】
前記挿入部の幅寸法が前記スライド部の幅寸法よりも大きい請求項６に記載の光源ユニット。
【請求項８】
前記スライド部の幅寸法が前記電線の径寸法よりも小さく、前記介在部の幅寸法が前記スライド部の幅寸法よりも大きい請求項５から７のいずれか１項に記載の光源ユニット。
【請求項９】
請求項１から８のいずれか１項に記載の光源ユニットと、
前記電線を介して前記発光部に電力を供給する点灯装置と、
前記光源ユニットと前記点灯装置とが取り付けられた照明器具と
を備える照明装置。
【発明の詳細な説明】
【技術分野】
【０００１】
本発明は、光源ユニット及び照明装置に関するものである。
【背景技術】
【０００２】
従来、ＬＥＤ等の発光素子を使用した照明装置として、天井等の被取付部に固定される照明器具に光源ユニットが取り付けられる照明装置がある（例えば、特許文献１参照）。
【０００３】
従来の光源ユニットは、発光素子が実装された基板、基板が取り付けられるフレーム、フレームの基板と反対側の面に取り付けられる点灯装置、及び、発光素子を覆うようにフレームに取り付けられるカバーを有している。基板と点灯装置は、フレームに設けられた配線用孔を介して電線により接続されている。
【先行技術文献】
【特許文献】
【０００４】
【特許文献１】特開２０１５−８８３９０号公報
【発明の概要】
【発明が解決しようとする課題】
【０００５】
従来の光源ユニットでは、電線と配線用孔の周縁との間の隙間から虫がカバー内に入るのを防ぐためにパッキンを用いて隙間を塞いでいる。しかし、パッキンは外れやすいため、光源ユニットの組み立て作業の効率が悪い。また、パッキンは電線を保持する力が弱いため、電線が引っ張られると、電線と基板との接続部分に負荷がかかってしまう。
【０００６】
本発明は、光源ユニットにおいて、組み立てやすい構造で配線用の開口の隙間を塞ぐことを目的とする。
【課題を解決するための手段】
【０００７】
本発明の一態様に係る光源ユニットは、照明器具に取り付けて使用される。
前記光源ユニットは、
光を照射する発光部と、
前記発光部に電気接続された電線と、
前記発光部が一方の片面に取り付けられるとともに、前記一方の片面から他方の片面まで貫通し前記電線が挿通される挿通開口が開けられたフレームとを備え、
前記挿通開口の前記電線の挿通箇所を除く開口領域が、前記フレームに取り付けられた板状の部材によって塞がれている。
【発明の効果】
【０００８】
本発明では、挿通開口の電線の挿通箇所を除く開口領域が、パッキンではなく、フレームに取り付けられた板状の部材によって塞がれているため、光源ユニットの組み立て作業の効率が向上する。
【図面の簡単な説明】
【０００９】
【図１】実施の形態１に係る照明装置の斜視図。
【図２】実施の形態１に係る照明装置の分解斜視図及びＡ断面図。
【図３】実施の形態１に係る光源ユニットの分解斜視図。
【図４】実施の形態１に係る光源ユニットの分解斜視図、Ｂ−Ｂ断面図及びＣ詳細図。
【図５】実施の形態１に係る光源ユニットの光源接続部の取付工程を示す図。
【図６】実施の形態１の変形例に係る光源ユニットの断面図。
【図７】実施の形態２に係る光源ユニットの分解斜視図。
【図８】実施の形態２に係る光源ユニットの光源接続部の取付工程を示す図。
【図９】実施の形態３に係る光源ユニットの光源接続部の取付工程を示す図。
【発明を実施するための形態】
【００１０】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１１】
実施の形態１．
＊＊＊構成の説明＊＊＊
図１及び図２を参照して、本実施の形態に係る照明装置２０１の構成を説明する。
【００１２】
照明装置２０１は、天井である被取付部に取り付けられる。照明装置２０１は、平面視で略四角形状である。なお、本実施の形態の説明において、「上方」とは、照明装置２０１が天井に取り付けられる場合の天井方向のことである。また、ある物の「下部」とは、照明装置２０１が天井に取り付けられる場合の、その物の一部かつ下側にある部分のことである。
【００１３】
照明装置２０１は、光源ユニット１００と、照明器具２１０と、端子台２２０と、点灯装置２３０と、化粧枠２４０とを備えている。
【００１４】
照明器具２１０は、被取付部に固定される。照明器具２１０には、光源ユニット１００と、端子台２２０と、点灯装置２３０と、化粧枠２４０とが取り付けられている。
【００１５】
照明装置２０１は、任意の数の光源ユニット１００を備えていてよいが、本実施の形態では２つの光源ユニット１００を備えている。点灯装置２３０は、照明器具２１０において２つの光源ユニット１００が取り付けられる位置のそれぞれの外側に配設されている。端子台２２０は、照明器具２１０において２つの光源ユニット１００が取り付けられる位置の間に配設されている。化粧枠２４０は、２つの光源ユニット１００のそれぞれを囲むように配置されている。
【００１６】
照明器具２１０は、平面視で四角形状に形成された器具平板部２１１と、器具平板部２１１の四角形の各側辺から立ち上がる器具側板部２１２とを有している。
【００１７】
器具平板部２１１には、外部から電源ケーブルを引き込むための電源孔２１１ａと、照明器具２１０を被取付部に固定するボルト等の取付具を挿入するための取付孔２１１ｂとが形成されている。電源孔２１１ａ及び取付孔２１１ｂは、照明器具２１０において２つの光源ユニット１００が取り付けられる位置の間に設けられている。
【００１８】
端子台２２０は、２つの光源ユニット１００が照明器具２１０に取り付けられた状態で２つの光源ユニット１００の間に位置するように器具平板部２１１に固定されている。図示していないが、端子台２２０には、電源孔２１１ａを介して外部から引き込まれた電源ケーブルが接続される。
【００１９】
点灯装置２３０は、２つの光源ユニット１００が照明器具２１０に取り付けられた状態でそれぞれの光源ユニット１００の外側、かつ、それぞれの光源ユニット１００と器具側板部２１２との間に位置するように器具平板部２１１に固定されている。点灯装置２３０は、外部の商用電源から端子台２２０を介して供給される電力を光源ユニット１００に供給し、光源ユニット１００を点灯させる。点灯装置２３０は、図示していない電源回路を長尺状かつ箱状の本体に内蔵した構成となっている。点灯装置２３０には、電線と電線の先端に設けられたコネクタとからなる電源接続部２３１が接続されている。
【００２０】
化粧枠２４０は、２つの光源ユニット１００の外側に配置される外側化粧枠２４１と、２つの光源ユニットの間に配置される内側化粧枠２４２とを有している。外側化粧枠２４１は、平面視で略ロ字状に形成されており、器具側板部２１２の下部と点灯装置２３０とを覆うように照明器具２１０に取り付けられる。外側化粧枠２４１は、外側上方に向かって傾斜している。内側化粧枠２４２は、平面視で略矩形状に形成されており、電源孔２１１ａ、取付孔２１１ｂ及び端子台２２０を覆うように照明器具２１０に取り付けられる。
【００２１】
光源ユニット１００は、照明器具２１０に取り付けて使用される。本実施の形態において、光源ユニット１００は、照明器具２１０に着脱自在に取り付けられる。光源ユニット１００は、任意の形状でよいが、本実施の形態では略直方体状である。
【００２２】
図２、図３及び図４を参照して、光源ユニット１００の構成を説明する。
【００２３】
光源ユニット１００は、発光部１１０と、フレーム１２０と、端板１３０と、光源接続部１４０と、カバー１５０とを備えている。
【００２４】
発光部１１０は、光を照射する。本実施の形態において、発光部１１０は、発光素子１１１と、発光素子１１１が実装された基板１１２とを有する。発光素子１１１は、本実施の形態ではＬＥＤであるが、有機ＥＬ、レーザ等であってもよい。発光部１１０は、任意の数の発光素子１１１を有していてよいが、本実施の形態では複数の発光素子１１１を有している。これら複数の発光素子１１１は、基板１１２に略均等なピッチで実装されている。基板１１２には、入力部１１３及び出力部１１４も配設されている。基板１１２は、任意の形状でよいが、本実施の形態では平面視で略正方形状である。
【００２５】
発光部１１０は、フレーム１２０に２つ配設されており、一方の発光部１１０の出力部１１４と他方の発光部１１０の入力部１１３が電線等の接続部材１１５により接続されている。
【００２６】
フレーム１２０は、任意の形状でよいが、本実施の形態では平面視で長方形状である。フレーム１２０は、発光部１１０が配設される平面視で長方形状のフレーム平板部１２１と、フレーム平板部１２１の長方形の各長辺から立ち上がるフレーム側板部１２２とを有している。フレーム平板部１２１の長方形の各短辺に相当する部分には、光源接続部１４０が挿通される挿通開口１２３と、光源接続部１４０が引っ掛けられる引掛片１２４が形成されている。挿通開口１２３は、光源接続部１４０を挿入してスライドさせるためのスライド部１２３ａと、光源接続部１４０を挿通させるための介在部１２３ｂとからなる。
【００２７】
端板１３０は、フレーム１２０の長手方向の両端部に取り付けられている。それぞれの端板１３０は、フレーム１２０の長手方向の端部を塞ぐ、正面視で長方形状の端板本体部１３１と、端板本体部１３１の長方形の一方の短辺からフレーム側板部１２２側へ立ち上がる端板側部１３２と、端板本体部１３１の長方形の各長辺からフレーム平板部１２１側へ立ち上がる端板底部１３３とを有している。端板側部１３２は、フレーム側板部１２２と係合する。端板底部１３３は、フレーム平板部１２１にネジ等の取付具により固定される。端板底部１３３は、光源接続部１４０を押圧する端板押圧部１３３ａを有している。
【００２８】
端板側部１３２には、光源ユニット１００を器具平板部２１１に固定するための取付片１３４が設けられている。光源ユニット１００は、取付片１３４を介してネジ、リベット等の取付具により照明器具２１０に固定される。
【００２９】
光源接続部１４０は、発光部１１０に接続される電線１４１と、電線１４１の端部に設けられ、電源接続部２３１のコネクタと接続されるコネクタ１４２とからなる。光源接続部１４０が発光部１１０と電源接続部２３１とに接続されることで、点灯装置２３０と発光部１１０とが電気的に接続される。点灯装置２３０は、光源接続部１４０の電線１４１（及び電源接続部２３１の電線等）を介して発光部１１０に電力を供給する。電線１４１としては、発光部１１０の入力部１１３に接続される入力電線１４１ａと、発光部１１０の出力部１１４に接続される出力電線１４１ｂとがある。
【００３０】
本実施の形態において、電線１４１は、図４のＢ−Ｂ断面図に示すように、銅線等である導体１４３ａを絶縁体である被覆１４３ｂで覆って構成された導線部１４３と、導線部１４３を覆って導線部１４３を保護する保護部１４４とからなる。導線部１４３と保護部１４４との間は空洞になっている。保護部１４４は、具体的には、ガラス編成チューブ等である。なお、電線１４１は、導線部１４３の被覆１４３ｂを厚くして保護部１４４の代わりに用いた構成であってもよい。
【００３１】
本実施の形態において、フレーム１２０の挿通開口１２３は、図４のＣ詳細図に示すように、直線状のスライド部１２３ａが円形状の介在部１２３ｂの中心からずれるように形成されている。すなわち、挿通開口１２３は、スライド部１２３ａの中心線の延長線上に介在部１２３ｂの中心が位置しないように形成されている。これは、電線１４１と挿通開口１２３の周縁との間に隙間が形成されないようするためである。本実施の形態では、挿通開口１２３に挿通された電線１４１を曲げて発光部１１０への配線が行われる。このとき、電線１４１を曲げる方向と反対方向に隙間が形成されやすいが、電線１４１を曲げる方向へスライド部１２３ａをずらすことで隙間が形成されにくくなる。
【００３２】
カバー１５０は、１つの面が開口した略箱状である。カバー１５０は、発光部１１０と対面する、平面視で四角形状のカバー正面部１５１と、カバー正面部１５１の四角形の各辺から立ち上がるカバー側面部１５２とを有している。カバー１５０は、フレーム１２０に端板１３０が取り付けられた状態において、発光部１１０とフレーム１２０の下部と端板１３０の下部とを覆うように配設されている。カバー１５０は、透光性材料で形成されており、発光部１１０から照射される光を所望の配光になるように拡散し、透過する。
【００３３】
＊＊＊組立方法の説明＊＊＊
図２から図５を参照して、光源ユニット１００の組立方法を説明する。
【００３４】
最初に、２つの発光部１１０が互いに並列するようにフレーム１２０に設置される。このとき、一方の発光部１１０の出力部１１４と他方の発光部１１０の入力部１１３とが接続部材１１５により接続される。
【００３５】
次に、光源接続部１４０の電線１４１が発光部１１０に接続されるとともに、フレーム１２０の挿通開口１２３に挿し込まれる。挿通開口１２３は、フレーム平板部１２１の長方形の各短辺が１箇所ずつ切り欠かれて形成されている。一方の挿通開口１２３には入力電線１４１ａが挿し込まれ、他方の挿通開口１２３には出力電線１４１ｂが挿し込まれる。このとき、入力電線１４１ａ及び出力電線１４１ｂは、それぞれ挿し込まれた挿通開口１２３の近傍に設けられた引掛片１２４に引っ掛けられる。また、入力電線１４１ａの端部が一方の発光部１１０の入力部１１３と接続され、出力電線１４１ｂの端部が他方の発光部１１０の出力部１１４と接続される。
【００３６】
入力電線１４１ａ及び出力電線１４１ｂのいずれの電線１４１も、挿通開口１２３に挿し込まれる際には、まず、挿通開口１２３のスライド部１２３ａに挿し込まれてから、挿通開口１２３の介在部１２３ｂまでスライドさせられる。本実施の形態において、スライド部１２３ａの幅寸法Ｈは、電線１４１の径寸法Ｉよりも小さい。また、介在部１２３ｂの幅寸法Ｊは、スライド部１２３ａの幅寸法Ｈよりも大きい。よって、電線１４１は、スライド部１２３ａに挿し込まれたときに保護部１４４が圧縮した状態になり、介在部１２３ｂまでスライドされたときに保護部１４４の圧縮状態の少なくとも一部が解除されて、介在部１２３ｂからスライド部１２３ａへの移動が制限される。
【００３７】
次に、端板１３０がフレーム１２０に取り付けられる。端板１３０は、端板本体部１３１がフレーム１２０の長手方向の両端部を塞ぐように配設される。このとき、スライド部１２３ａが、端板底部１３３で塞がれ、スライド部１２３ａからフレーム１２０の裏側から表側への虫及び埃の侵入が抑制される。また、端板底部１３３の端板押圧部１３３ａが、光源接続部１４０の電線１４１を介在部１２３ｂの端縁１２３ｄ側へ押圧する。よって、電線１４１が介在部１２３ｂの端縁１２３ｄと端板底部１３３の端板押圧部１３３ａとによって挟まれ、フレーム１２０の裏側から表側への電線１４１の移動が制限される。ここで、フレーム１２０の裏側は、光源接続部１４０のコネクタ１４２がある側であり、フレーム１２０の表側は、発光部１１０がある側である。
【００３８】
最後に、カバー１５０がフレーム１２０に取り付けられる。カバー１５０は、カバー正面部１５１が発光部１１０と対面し、カバー側面部１５２がフレーム側板部１２２の下部と端板本体部１３１の下部とを覆うようにフレーム１２０に取り付けられる。このとき、カバー１５０は、端板１３０側のカバー側面部１５２が端板本体部１３１にネジ等の固定部材により連結されることで固定される。
【００３９】
本実施の形態において、カバー側面部１５２の内側には、図２のＡ断面図に示すように、側面段差１５３が形成されている。この側面段差１５３は、カバー１５０がフレーム１２０に取り付けられた状態でフレーム側板部１２２の小口と端板本体部１３１の小口に当接する。これにより、カバー１５０のフレーム１２０に対する位置決めが可能となる。
【００４０】
以上説明したように、本実施の形態において、照明装置２０１は、発光部１１０、フレーム１２０、端板１３０、光源接続部１４０及びカバー１５０を有する光源ユニット１００を備えている。発光部１１０には、発光部１１０へ電力を供給するための光源接続部１４０の電線１４１が接続されている。この電線１４１は、フレーム１２０に形成された挿通開口１２３の端縁１２３ｄと端板底部１３３とによって隙間がほとんどできないように挟まれている。このように、本実施の形態では、防虫機構を容易に設けることができる。また、引っ張り等で電線１４１が抜け、発光部１１０と電線１４１との接続部分に負荷がかかるのを防止している。挿通開口１２３は、スライド部１２３ａと介在部１２３ｂとからなるため、電線１４１の移動を規制することができ、電線１４１の保持機構を強固にすることができる。
【００４１】
＊＊＊実施の形態の効果の説明＊＊＊
本実施の形態に係る光源ユニット１００において、フレーム１２０の一方の片面には、発光部１１０が取り付けられている。フレーム１２０には、フレーム１２０の一方の片面から他方の片面まで貫通する挿通開口１２３が開けられている。挿通開口１２３には、発光部１１０に電気接続された電線１４１が挿通されている。そして、挿通開口１２３の電線１４１の挿通箇所を除く開口領域が、フレーム１２０に取り付けられた板状の部材によって塞がれている。したがって、挿通開口１２３をパッキンで塞ぐ必要がなくなり、光源ユニット１００の組み立て作業の効率が向上する。
【００４２】
本実施の形態に係る光源ユニット１００において、フレーム１２０には、端板１３０が取り付けられている。この端板１３０は、フレーム１２０の一方の片面に対して垂直に延びる端板本体部１３１を有するとともに、端板本体部１３１から立ち上がりフレーム１２０の一方の片面に対して平行に延びる端板底部１３３とを有する。ここで、フレーム１２０の一方の片面とは、フレーム１２０において発光部１１０が取り付けられている面、すなわち、フレーム１２０の表側の面のことである。本実施の形態では、端板底部１３３が、挿通開口１２３の電線１４１の挿通箇所を除く開口領域を塞ぐ板状の部材として利用されている。したがって、挿通開口１２３を塞ぐための専用の部品が不要となり、光源ユニット１００の組み立て作業の効率が一層向上する。
【００４３】
本実施の形態に係る光源ユニット１００において、電線１４１は、端板底部１３３によって挿通開口１２３の端縁１２３ｄに押し付けられている。したがって、挿通開口１２３に挿通されている電線１４１を固定することができる。
【００４４】
本実施の形態に係る光源ユニット１００において、挿通開口１２３は、電線１４１の径方向に沿って電線１４１をスライドさせるためのスライド部１２３ａと、スライド部１２３ａと挿通開口１２３の端縁１２３ｄとの間に介在する介在部１２３ｂとからなる。挿通開口１２３は、電線１４１が介在部１２３ｂに挿通されている状態でスライド部１２３ａが端板底部１３３によって塞がれている。したがって、スライド部１２３ａからの虫及び埃の侵入を防ぐことができる。また、本実施の形態では、スライド部１２３ａの幅寸法Ｈが電線１４１の径寸法Ｉよりも小さく、介在部１２３ｂの幅寸法Ｊがスライド部１２３ａの幅寸法Ｈよりも大きいため、電線１４１がスライド部１２３ａに戻りにくくなっており、電線１４１の抜け及び位置ずれを防ぐこともできる。
【００４５】
＊＊＊他の構成＊＊＊
本実施の形態では、照明装置２０１が天井に取り付けられるが、照明装置２０１は、壁等、他の被取付部に取り付けられてもよい。
【００４６】
また、本実施の形態では、照明装置２０１が平面視で略四角形状であるが、照明装置２０１は、長尺状であってもよい。
【００４７】
また、本実施の形態では、点灯装置２３０が照明器具２１０に取り付けられているが、点灯装置２３０は、光源ユニット１００の一部としてフレーム１２０に取り付けられていてもよい。
【００４８】
また、本実施の形態では、挿通開口１２３の介在部１２３ｂの幅寸法Ｊが挿通開口１２３のスライド部１２３ａの幅寸法Ｈよりも大きいが、介在部１２３ｂの幅寸法Ｊとスライド部１２３ａの幅寸法Ｈは、同じ寸法でもよい。
【００４９】
また、本実施の形態では、図２のＡ断面図に示したような側面段差１５３がカバー１５０に形成されているが、図６の（ａ）に示すような側面段差１５３がカバー１５０に形成されていてもよい。
【００５０】
図６の変形例では、カバー１５０の側面段差１５３の断面がコ字状になっている。この側面段差１５３は、カバー１５０がフレーム１２０に取り付けられた状態でフレーム側板部１２２の小口と端板本体部１３１の小口とを覆う。これにより、カバー１５０とフレーム１２０及び端板１３０との間から虫が侵入するのを防止することができる。また、カバー１５０とフレーム１２０及び端板１３０とのクリアランスは、側面段差１５３の真ん中にフレーム１２０及び端板１３０が当接している状態で両側に幅寸法ａの隙間が生じる程度であるとする。このようなクリアランスを設けることで、図６の（ｂ）に示すような、フレーム１２０及び端板１３０が一方に寄った状態でも、側面段差１５３の内壁若しくは外壁のどちらかでカバー１５０とフレーム１２０及び端板１３０との間に隙間が生じるのを防止することができる。幅寸法ａは、０．５ミリメートル程度であることが望ましい。
【００５１】
実施の形態２．
＊＊＊構成の説明＊＊＊
本実施の形態に係る照明装置２０１の構成について、主に実施の形態１との差異を説明する。
【００５２】
照明装置２０１の構成は、光源ユニット１００の構成を除いて、図１及び図２に示した実施の形態１のものと同じである。
【００５３】
図７を参照して、光源ユニット１００の構成を説明する。
【００５４】
光源ユニット１００は、発光部１１０と、フレーム１２０と、端板１３０と、光源接続部１４０と、カバー１５０とを備えている。
【００５５】
発光部１１０、端板１３０、光源接続部１４０及びカバー１５０については、実施の形態１のものとほとんど同じである。
【００５６】
フレーム１２０は、任意の形状でよいが、本実施の形態では平面視で長方形状である。フレーム１２０は、発光部１１０が配設される平面視で長方形状のフレーム平板部１２１と、フレーム平板部１２１の長方形の各辺から立ち上がるフレーム側板部１２２ａ，１２２ｂ，１２２ｃ，１２２ｄとを有している。フレーム側板部１２２ａ，１２２ｂ，１２２ｃ，１２２ｄのうち、発光部１１０の入力部１１３若しくは出力部１１４に対向するフレーム側板部１２２ａ，１２２ｂからフレーム平板部１２１にかけて、光源接続部１４０が挿通される挿通開口１２３が形成されている。挿通開口１２３は、光源接続部１４０を挿入するための挿入部１２３ｃと、光源接続部１４０をスライドさせるためのスライド部１２３ａと、光源接続部１４０を挿通させるための介在部１２３ｂとからなる。挿入部１２３ｃは、フレーム側板部１２２ａ，１２２ｂに設けられている。介在部１２３ｂは、フレーム平板部１２１に設けられている。スライド部１２３ａは、挿入部１２３ｃと介在部１２３ｂとの両方に連通するように設けられている。
【００５７】
＊＊＊組立方法の説明＊＊＊
図７及び図８を参照して、光源ユニット１００の組立方法のうち、光源接続部１４０の取付工程を説明する。
【００５８】
まず、入力電線１４１ａが挿通開口１２３の挿入部１２３ｃに挿し込まれ、入力部１１３に接続される。このとき、入力電線１４１ａを変形させる必要はない。本実施の形態では、入力電線１４１ａを曲げなくても入力電線１４１ａを入力部１１３に接続することができるように、フレーム１２０の長手方向に沿って入力部１１３を臨む位置に挿入部１２３ｃが形成されている。
【００５９】
次に、入力電線１４１ａが徐々に曲げられることにより、スライド部１２３ａを介して介在部１２３ｂに挿し込まれる。
【００６０】
次に、端板１３０がフレーム側板部１２２ａを覆うようにフレーム１２０に取り付けられる。このとき、端板底部１３３の端板押圧部１３３ａが、入力電線１４１ａを介在部１２３ｂの端縁１２３ｄ側へ押圧する。よって、入力電線１４１ａが介在部１２３ｂの端縁１２３ｄと端板底部１３３の端板押圧部１３３ａとによって挟まれ、保持される。
【００６１】
入力電線１４１ａと同様に、出力電線１４１ｂも、挿入部１２３ｃに挿し込まれ、出力部１１４に接続された後、徐々に曲げられることにより、スライド部１２３ａを介して介在部１２３ｂに挿し込まれる。その後、端板１３０がフレーム側板部１２２ｂを覆うようにフレーム１２０に取り付けられると、出力電線１４１ｂが介在部１２３ｂの端縁１２３ｄと端板底部１３３の端板押圧部１３３ａとによって挟まれ、保持される。
【００６２】
このように、本実施の形態では、光源接続部１４０の電線１４１と発光部１１０との接続が容易である。また、フレーム平板部１２１の長方形の全ての辺にフレーム側板部１２２ａ，１２２ｂ，１２２ｃ，１２２ｄが設けられているため、フレーム１２０の剛性が向上する。
【００６３】
＊＊＊実施の形態の効果の説明＊＊＊
本実施の形態に係る光源ユニット１００において、フレーム１２０には、端板１３０が取り付けられている。この端板１３０は、フレーム１２０の一方の片面に対して垂直に延びる端板本体部１３１を有するとともに、端板本体部１３１から立ち上がりフレーム１２０の一方の片面に対して平行に延びる端板底部１３３とを有する。本実施の形態では、端板本体部１３１及び端板底部１３３が、挿通開口１２３の電線１４１の挿通箇所を除く開口領域を塞ぐ板状の部材として利用されている。したがって、挿通開口１２３を塞ぐための専用の部品が不要となり、光源ユニット１００の組み立て作業の効率が一層向上する。
【００６４】
本実施の形態に係る光源ユニット１００において、挿通開口１２３は、電線１４１の径方向に沿って電線１４１をスライドさせるためのスライド部１２３ａと、スライド部１２３ａと挿通開口１２３の端縁１２３ｄとの間に介在する介在部１２３ｂと、スライド部１２３ａの介在部１２３ｂとは反対側につながり、電線１４１を挿入するための挿入部１２３ｃとからなる。挿通開口１２３は、電線１４１が介在部１２３ｂに挿通されている状態でスライド部１２３ａと挿入部１２３ｃとが端板本体部１３１及び端板底部１３３によって塞がれている。したがって、スライド部１２３ａ及び挿入部１２３ｃからの虫及び埃の侵入を防ぐことができる。また、本実施の形態では、挿入部１２３ｃの幅寸法がスライド部１２３ａの幅寸法よりも大きいため、電線１４１を挿通開口１２３に挿入しやすい。さらに、本実施の形態では、実施の形態１と同じように、スライド部１２３ａの幅寸法が電線１４１の径寸法よりも小さく、介在部１２３ｂの幅寸法がスライド部１２３ａの幅寸法よりも大きいため、電線１４１がスライド部１２３ａに戻りにくくなっており、電線１４１の抜け及び位置ずれを防ぐこともできる。
【００６５】
実施の形態３．
＊＊＊構成の説明＊＊＊
本実施の形態に係る照明装置２０１の構成について、主に実施の形態１との差異を説明する。
【００６６】
照明装置２０１の構成は、光源ユニット１００の構成を除いて、図１及び図２に示した実施の形態１のものと同じである。
【００６７】
図９を参照して、光源ユニット１００の構成を説明する。
【００６８】
本実施の形態では、フレーム平板部１２１に、光源接続部１４０が挿通される挿通開口１２３が形成されている。挿通開口１２３は、光源接続部１４０を挿入するための挿入部１２３ｃと、光源接続部１４０をスライドさせるためのスライド部１２３ａと、光源接続部１４０を挿通させるための介在部１２３ｂとからなる。
【００６９】
＊＊＊組立方法の説明＊＊＊
図９を参照して、光源ユニット１００の組立方法のうち、光源接続部１４０の取付工程を説明する。
【００７０】
まず、入力電線１４１ａが挿通開口１２３の挿入部１２３ｃに挿し込まれる。なお、本実施の形態では、実施の形態１と異なり、この時点では、まだ発光部１１０がフレーム１２０に設置されていない。
【００７１】
次に、入力電線１４１ａが挿通開口１２３のスライド部１２３ａを経由して挿通開口１２３の介在部１２３ｂまでスライドさせられる。入力電線１４１ａは、介在部１２３ｂに挿通されることで、スライド部１２３ａへの移動が制限される。
【００７２】
次に、発光部１１０がフレーム平板部１２１に取り付けられる。発光部１１０は、挿通開口１２３の挿入部１２３ｃとスライド部１２３ａとを覆うようにフレーム平板部１２１に固定される。このとき、発光部１１０の小口が、入力電線１４１ａを介在部１２３ｂの端縁１２３ｄ側へ押圧する。よって、入力電線１４１ａが介在部１２３ｂの端縁１２３ｄと発光部１１０とによって挟まれ、保持される。なお、本実施の形態では、実施の形態１と異なり、フレーム１２０の長手方向において、挿通開口１２３の介在部１２３ｂがスライド部１２３ａよりも外側に位置する。
【００７３】
このように、本実施の形態では、発光部１１０が、光源接続部１４０の電線１４１を保持する役割と挿通開口１２３を塞ぐ役割とを果たしているため、端板１３０を省略することも可能である。すなわち、部品点数の削減が可能となる。
【００７４】
＊＊＊実施の形態の効果の説明＊＊＊
本実施の形態では、発光部１１０の基板１１２が、挿通開口１２３の電線１４１の挿通箇所を除く開口領域を塞ぐ板状の部材として利用されている。したがって、挿通開口１２３を塞ぐための専用の部品が不要となり、光源ユニット１００の組み立て作業の効率が一層向上する。
【００７５】
本実施の形態に係る光源ユニット１００において、挿通開口１２３は、電線１４１の径方向に沿って電線１４１をスライドさせるためのスライド部１２３ａと、スライド部１２３ａと挿通開口１２３の端縁１２３ｄとの間に介在する介在部１２３ｂと、スライド部１２３ａの介在部１２３ｂとは反対側につながり、電線１４１を挿入するための挿入部１２３ｃとからなる。挿通開口１２３は、電線１４１が介在部１２３ｂに挿通されている状態でスライド部１２３ａと挿入部１２３ｃとが発光部１１０の基板１１２によって塞がれている。したがって、スライド部１２３ａ及び挿入部１２３ｃからの虫及び埃の侵入を防ぐことができる。また、本実施の形態では、挿入部１２３ｃの幅寸法がスライド部１２３ａの幅寸法よりも大きいため、電線１４１を挿通開口１２３に挿入しやすい。さらに、本実施の形態では、実施の形態１と同じように、スライド部１２３ａの幅寸法が電線１４１の径寸法よりも小さく、介在部１２３ｂの幅寸法がスライド部１２３ａの幅寸法よりも大きいため、電線１４１がスライド部１２３ａに戻りにくくなっており、電線１４１の抜け及び位置ずれを防ぐこともできる。
【００７６】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。なお、本発明は、これらの実施の形態に限定されるものではなく、必要に応じて種々の変更が可能である。
【符号の説明】
【００７７】
１００  光源ユニット、１１０  発光部、１１１  発光素子、１１２  基板、１１３  入力部、１１４  出力部、１１５  接続部材、１２０  フレーム、１２１  フレーム平板部、１２２，１２２ａ，１２２ｂ，１２２ｃ，１２２ｄ  フレーム側板部、１２３  挿通開口、１２３ａ  スライド部、１２３ｂ  介在部、１２３ｃ  挿入部、１２３ｄ  端縁、１２４  引掛片、１３０  端板、１３１  端板本体部、１３２  端板側部、１３３  端板底部、１３３ａ  端板押圧部、１３４  取付片、１４０  光源接続部、１４１  電線、１４１ａ  入力電線、１４１ｂ  出力電線、１４２  コネクタ、１４３  導線部、１４３ａ  導体、１４３ｂ  被覆、１４４  保護部、１５０  カバー、１５１  カバー正面部、１５２  カバー側面部、１５３  側面段差、２０１  照明装置、２１０  照明器具、２１１  器具平板部、２１１ａ  電源孔、２１１ｂ  取付孔、２１２  器具側板部、２２０  端子台、２３０  点灯装置、２３１  電源接続部、２４０  化粧枠、２４１  外側化粧枠、２４２  内側化粧枠。
【図１】
2017134944.tif 000003
【図２】
2017134944.tif 000004
【図３】
2017134944.tif 000005
【図４】
2017134944.tif 000006
【図５】
2017134944.tif 000007
【図６】
2017134944.tif 000008
【図７】
2017134944.tif 000009
【図８】
2017134944.tif 000010
【図９】
2017134944.tif 000011